(57)【要約】【技術課題】安全で使い易いマラソンランナーが給水ポイントに置いて使用する冷却水とスペシャルドリンクを入れておくための保冷容器を提供する。【解決手段】真空断熱容器１内に冷却水ボトル５とスペシャルドリンクボトル１０をそれぞれ組みつけておく。  ランナーは把手紐１５を持って真空断熱容器１内から冷却水ボトル５とスペシャルドリンクボトル１０を引き上げ、走りながらワンタッチ式のキャップ１３を外ずしてスペシャルドリンクボトル１０を冷却水ボトル５からその上半を露出させる。その上で、スペシャルドリンクボトル１０を冷却水ボトル５から取り出し、冷却水を使用し、次にスペシャルドリンクをストロー１２で吸飲する。【選択図】図２
2010036964.tif 000002
【特許請求の範囲】
【請求項１】
ａ. 真空断熱容器内に取り出し自在に組み込まれた冷却水ボトルと、この冷却水ボトル    内に取り出し自在に組み込まれたスペシャルドリンクボトルから成る保冷容器であっ
て、
ｂ．前記冷却水ボトルは、前記真空断熱容器に形成した上口から内部に挿入して取り出    し自在に組み付けられていること、
ｃ. 前記スペシャルドリンクボトルは、前記冷却水ボトルの上口から内部に垂下したボ    トルホルダー内に取り出し自在に組み付けられていると共に無負荷時にはスプリング    の力で冷却水ボトルの上口から上半が露出すること、
ｄ. 前記冷却水ボトル及びスペシャルドリンクボトルの上口は、それぞれのキャップに    より閉塞されていて、冷却水ボトルのキャップを取り外すと冷却水ボトル内からスペ    シャルドリンクボトルが露出するため、このスペシャルドリンクボトルを冷却水ボト    ル内から取り出して片手に持ち、もう一方の手で冷却水ボトルから冷却水を身体にか    けて冷やしたのち放棄し、スペシャルドリンクボトル内のスペシャルドリンクは、付    設されたストローから吸飲するように構成されていること、
ｅ. を特徴とするマラソンあるいは長距離ランナーが主として使用する身体冷却用及び    スペシャルドリンク吸飲用保冷容器。
【請求項２】
前記真空断熱容器は、台座の上に姿勢制御手段を介して取り付けられていること、を特徴とする請求項１に記載の身体冷却用及びスペシャルドリンク吸飲用保冷容器。
【請求項３】
前記台座の底面には、テーブルに対する固定手段が取り付けられていること、を特徴とする請求項２に記載の身体冷却用及びスペシャルドリンク吸飲用保冷容器。
【請求項４】
前記固定手段には、すべり止めシート又は吸盤又は粘着テープ又は接着剤が用いられていること、を特徴とする請求項３に記載の身体冷却用及びスペシャルドリンク吸飲用保冷容器。
【請求項５】
前記スペシャルドリンクボトルを露出させるためのスプリングは、樹脂又は金属製のコイルスプリングで構成されていること、を特徴とする請求項１に記載の身体冷却用及びスペシャルドリンク吸飲用保冷容器。
【請求項６】
前記冷却水ボトルのキャップには、自立性を有する把手紐が取り付けられていること、を特徴とする請求項１に記載の身体冷却用及びスペシャルドリンク吸飲用保冷容器。    
【発明の詳細な説明】
【技術分野】
【０００１】
本発明は、マラソンランナーあるいは長距離ランナー等が走行中に熱くなった身体を冷やすために使用する冷却水と、体内に水分を補給するために吸飲する所謂スペシャルドリンクを保冷状態を保ちながら保持するための容器に関し、更に詳しくは、走行中に使用するためにランナーの負担にならずに冷却水の使用とスペシャルドリンクの吸飲を行うことができる保冷容器に関するものである。
【背景技術】
【０００２】
マラソンを例にとると、コースの要所には給水ポイントが置かれていて、ランナーは自分用のスペシャルドリンクを用意しておく例が多い。また、熱くなった体を冷やすために、ペットボトルに入った水を身体にかけたり、吸水させたスポンジを絞って水を身体にかけたりしている。
【０００３】
このような給水ポイントでは、時間のロスをできるだけ短縮することが必要であるため、ランナーは自分のボトルが走行中でも直ぐに判るように、ボトルにリボンを結んだり、色をつけたりして他人のものと区別している。
【０００４】
しかし、選手の場合、冷却水及びスペシャルドリンクの温度には個人差があることから、給水ポイントに置かれた容器は、選手が実際に使用するまで、個人用の適温を保持するように工夫されたものが望ましい。
【０００５】
斯る観点から、特開２００６−２１８１８号公報には、真空断熱容器内に直接冷却水を充填し、この冷却水を充填した真空断熱容器内にスペシャルドリンクを充填した容器を組み込んで保冷を行い、前記スペシャルドリンク容器は真空断熱容器のキャップを外すと中からスプリングの力で突出するように構成することで、冷却水とスペシャルドリンクを保冷し、かつ走行中における冷却水とスペシャルドリンクを吸飲しやすくした内容のものが紹介されている。
しかし、この公知例においては、次のような欠点がある。
１．ステンレス製のため、使用後に路上に捨てると、他のランナーにとっては危険であり    、迷惑である。
２．真空断熱容器の外径はどうしても太くなるため、特に手の小さい女子の場合にはこれ    を持って走りながら身体にかけるには不便であり、落としてしまったりすることがあ    る。
３．真空断熱容器はステンレス製であるため、特に疲労が限界に近いランナーにはその重    さが負担となる。
４．公知例の容器は、テーブルに置くだけのため、他のランナーにより転倒されたりする    心配がある。
５．給水ポイントでは、容器をとり易いように自立の把手紐を断熱容器に取り付けている    ため、この把手紐が冷却水をかけるときに邪魔したり、スペシャルドリンクの容器を    とり出すときにも邪魔したりして、ランナーには不評である。
【発明の開示】
【発明が解決しようとする課題】
【０００６】
本発明の目的は、安全性を高め、給水ポイントにおいてテーブルから取り易く、冷却水及びスペシャルドリンクを保冷状態で保持することができると共に取り扱い易く、記録アップにつながる身体冷却用冷却水及びスペシャルドリンク吸飲用保冷容器を提供することである。
【課題を解決するための手段】
【０００７】
上記目的を達成するため、請求項１に記載の発明においては、マラソンあるいは長距離
ランナーが主として使用する身体冷却用及びスペシャルドリンク吸飲用保冷容器において
、真空断熱容器内に取り出し自在に組み込まれた冷却水ボトルと、この冷却水ボトル内に
取り出し自在に組み込まれたスペシャルドリンクボトルから成る保冷容器であって、前記
冷却水ボトルは、前記真空断熱容器に形成した上口から内部に挿入して取り出し自在に組
み付けられていること、前記スペシャルドリンクボトルは、前記冷却水ボトルの上口から
内部に垂下したボトルホルダー内に取り出し自在に組み付けられていると共に無負荷時に
はスプリングの力で冷却水ボトルの上口から上半が露出すること、前記冷却水ボトル及び
スペシャルドリンクボトルの上口は、それぞれのキャップにより閉塞されていて、冷却水
ボトルのキャップを取り外すと冷却水ボトル内からスペシャルドリンクボトルが露出する
ため、このスペシャルドリンクボトルを冷却水ボトル内から取り出して片手に持ち、もう
一方の手で冷却水ボトルから冷却水を身体にかけて冷やしたのち放棄し、スペシャルドリ
ンクボトル内のスペシャルドリンクは、付設されたストローから吸飲するように構成され
ていること、を特徴とするものである。
【０００８】
更に、請求項２に記載の発明においては、請求項１に記載の身体冷却用及びスペシャル
ドリンク吸飲用保冷容器において、前記真空断熱容器は、台座の上に姿勢制御手段を介し
て取り付けられていることを特徴とするものである。
この発明によると、保冷容器の向きを任意に設定して、真空断熱容器内から冷却水ボト
ル及びスペシャルドリンクボトルを取り出し易くすることができる。
【０００９】
更に、請求項３に記載の発明においては、請求項２に記載の身体冷却用及びスペシャル
ドリンク吸飲用保冷容器において、前記台座の底面には、テーブルに対する固定手段が取
り付けられていることを特徴とするものである。
この発明によると、保冷容器が転倒するのを防止することができる。
【００１０】
更に、請求項４に記載の発明においては、請求項３に記載の身体冷却用及びスペシャル
ドリンク吸飲用保冷容器において、前記固定手段には、すべり止めシート又は吸盤又は粘着テープ又は接着剤が用いられていることを特徴とするものである。
この発明によると、台座を簡単にテーブル等に固定し、不用となったときは取り除くことができる。
【００１１】
更に、請求項５に記載の発明においては、請求項１に記載の身体冷却用及びスペシャルドリンク吸飲用保冷容器において、前記スペシャルドリンクボトルを露出させるためのスプリングは、樹脂又は金属製のコイルスプリングで構成されていることを特徴とするものである。
【００１２】
更に、請求項６に記載の発明においては、請求項１に記載の身体冷却用及びスペシャルドリンク吸飲用保冷容器において、前記冷却水ボトルのキャップには、自立性を有する把手紐が取り付けられていることを特徴とするものである。
この発明によると、真空断熱容器内から冷却水ボトルとスペシャルドリンクボトルを簡単に取り出すことができる。
【発明の効果】
【００１３】
本発明によると、真空断熱容器内に冷却水ボトルを組み込み、この冷却水ボトル内にスペシャルドリンクボトルを組み込み、真空断熱容器内と冷却水ボトル及びスペシャルドリンクボトルを独立させ、真空断熱容器はテーブル上に残し、冷却水ボトルとスペシャルドリンクボトルのみを真空断熱容器内から取り出して冷却水を使用し、スペシャルドリンクを吸飲するようにした。
【００１４】
この結果、引用文献１の容器のように、真空断熱容器内に直接冷却水を充填していないので、ステンレス製の重い真空断熱容器を片手に持ち、頭から冷却水をかけたりする必要がないので、ランナーの負荷が軽減されて記録の向上に寄与することができる。
【００１５】
また、冷却水をかけた後、引用文献１の場合、真空断熱容器がステンレス製のため、路上に捨てたときに他のランナーに危険を及ぼす心配があるが、本発明の容器は、真空断熱容器はそのままテーブル上に残し、中の冷却水ボトルとスペシャルドリンクボトルのみを取り上げてそれぞれを使用するため、これは従来のペットボトル入りのものの使用と変らないことから、路上に捨てても安全である。
【００１６】
また、冷却水ボトルとスペシャルドリンクボトルは、自立の把手紐をつかんで真空断熱容器からそのまま取り出すことができるため、取りそこなう心配がないと共に他のランナーのボトル等を転倒させたりする心配がない。また、台座は固定手段でテーブルに固定できるため、転倒の心配がない。また、真空断熱容器は再使用ができる。また、冷却水ボトルのキャップに把手紐がついているため、この冷却水ボトルのキャップを取り外すと把手紐も冷却水ボトルから排除され、冷却水をかける際、あるいはスペシャルドリンクボトルを取り出す際に邪魔にならない。
【発明を実施するための最良の形態】
【００１７】
本発明に係る保冷容器は、主としてマラソンランナー用に開発されたものであるが、１万メートルとか駅伝等の競技においても使用できる。その他、トライアスロンとか、野球、サッカー等の競技においても冷却水を頭からかぶったり、スペシャルドリンクを吸飲する場合に使用することができ、この使用法は任意である。
【００１８】
断熱容器は、真空断熱のため、ステンレス等が耐圧性からみて好適であるが、樹脂を用い、アルミ箔を表面にライニングしたり、断熱塗料等を塗布して気密性と非熱伝導性を確保するようにして構成しても良い。
【００１９】
冷却水ボトルとスペシャルドリンクボトルは、ＰＥＴ等を用いた樹脂とすることで、軽量化を図ることができる。
【００２０】
冷却水ボトル内には、スペシャルドリンクボトルホルダーを組み込み、このボトルホルダー内にスペシャルドリンクボトルを組み込むことでボトルを保持し、かつスプリングをボトルホルダーの底部に組み込むことでスペシャルドリンクボトルを露出する方向に賦勢している。ここで用いるスプリングは、軽量化から樹脂製のものが望ましいが、用途によっては金属製のものを用いても良い。
【００２１】
自立性の把手紐を取り付けた冷却水ボトルのキャップは、冷却水ボトルの口に着脱自在に取り付けられていて、この把手紐を引くとキャップごと冷却水ボトルとスペシャルドリンクボトルを真空断熱容器内から取り出すことができる。
【００２２】
そして、このキャップを冷却水ボトルから取り外ずすと、冷却水ボトルの上口が開き、スペシャルドリンクボトルの上半がスプリングの力で露出するので、このスペシャルドリンクボトルを冷却水ボトル内から取り出すことにより、冷却水ボトルの上口は全開する。
【００２３】
この全開により、冷却水を使用することができる。この時、一方の手にはスペシャルドリンクボトルを握っており、冷却水の使用が終るとこのボトルを路上に捨て、次にスペシャルドリンクボトルのキャップから突出しているストローを用いてスペシャルドリンクを吸飲する。この吸飲が終るとスペシャルドリンクボトルも路上に捨てる。
【００２４】
真空断熱容器は、そのまま台座と共にテーブルの上に残るので、再使用が可能である。台座の底面には、すべり止めシート又は吸盤あるいは剥離紙付の粘着テープを取り付けておくことにより、テーブル上に固定して転倒するのを防止しておくことができる。勿論この固定手段として、接着剤を用いることもできる。
【実施例１】
【００２５】
図１〜図５に基づいて本発明に係る容器の実施例を詳細に説明する。図１は本発明に係る保冷容器全体の説明図、図２はＡ―Ａ´線断面図、図３は分解斜視図、図４は真空断熱容器内から把手紐を持って冷却水ボトルとスペシャルドリンクボトルを取り出した状態の説明図、図５は冷却水ボトルから把手紐付のキャップを取り外したことにより、スペシャルドリンクボトルの上半がスプリングの力で露出した状態の説明図、図６は冷却水ボトル内からスペシャルドリンクボトルを取り出した状態の冷却水ボトルの説明図、図７はスペシャルドリンクをランナーが吸飲している状態の説明図である。
【００２６】
以上の各図において、１は真空断熱容器であって、この真空断熱容器１は、ステンレス板を用いて底部と胴部に真空空間２が形成されていて、粘着テープ１７を底面に取り付けた台座３の上に姿勢制御用のスプリング４を介して取り付けられている。
【００２７】
５は前記真空断熱容器１内にその上口１ａから取り出し自在に組み込まれた冷却水ボトルであって、この冷却水ボトル５の上口５ａからは、内部に向けて円筒状のボトルホルダー６が吊設されており、このボトルホルダー６の底部６ｂにはスプリング７が組み込まれ、このスプリング７上にはスプリング受け盤８が取り付けられている。図５において、６ｃはボトルホルダー６に形成されたガイド穴であって、前記スプリング受け盤８の係合片８aがこのガイド穴６ｃ内に係合していて、その上下動の範囲が規制されている。
【００２８】
９はボトルホルダー６に形成されたボトルホルダー６内と冷却水ボトル５内を連通している流水口であって、冷却水ボトル５内の冷却水は、この流水口９からボトルホルダー６内を経由して上口５ａからボトル外にとり出すことができる。
【００２９】
１０は前記ボトルホルダー６の上口６ａから内部に出入り自在に組み込まれたスペシャルドリンクボトルであって、このボトル１０の上口１０ａにはボトルキャップ１１が取り付けられていると共にこのキャップ１１の中央から上方にボトル１０内に挿し込んだストロー１２が突出していて、このストロー１２でスペシャルドリンクを吸飲することができる。
【００３０】
１３は前記冷却水ボトル５の上口５ａに取り付けられたワンタッチ開閉式のキャップであって、このキャップ１３内には、前記スペシャルドリンクボトル１０側のストロー１２を押える当て板１４が設けられていると共にキャップ１３には自立式の把手紐１５が取り付けられている。１６は冷却水ボトル５の上口５ａに取り付けられたボトルホルダー６及びキャップ１３の取付環であって、この取付環１６の下縁には係合リブ１６ａが形成され、上部外周にはキャップ１３をワンタッチで止める止め具１６ｂが設けられていて、キャップ１３側の止め具１３aとでワンタッチで係合している。１７は台座３の底面に取り付けられた粘着テープ、１８は真空断熱容器１の上口１ａに取り付けられた受けリングであって、このリング１８により冷却水ボトル５に取り付けられた取付環１６のリブ１６ａを乗せるようにして受け止めている。
【００３１】
次に図４〜図７に基づいて使用例を説明する。図４は、テーブル１００に置かれた真空断熱容器１から把手紐１５をつかんで冷却水ボトル５とスペシャルドリンクボトル１０を取り出した状態である。
【００３２】
図５は冷却水ボトル５のキャップ１３をワンタッチで取り外すことにより、無負荷となったスペシャルドリンクボトル１０がスプリング７の力でボトルホルダー６内を上昇し、冷却水ボトル５の上口５ａから上半が露出した状態である。
【００３３】
図６は冷却水ボトル５内からスペシャルドリンクボトル１０を取り出した状態を示し、ランナーは、この状態の冷却水ボトル５を逆さにして中の冷却水を頭や身体にかけて熱くなった身体を冷やす。
【００３４】
図７は冷却水ボトル５から取り出したスペシャルドリンクボトル１０の使用例を示し、ランナーは、このスペシャルドリンクボトル１０を片手に持ってストロー１２からスペシャルドリンクを吸飲する。冷却水を使用し、スペシャルドリンクの吸飲を終ったボトル５及び１０はそのまま路上に投げ捨てる。
以上の使用例はマラソンランナーの一例であって、その使い方は任意である。
【図面の簡単な説明】
【００３５】
【図１】本発明に係る保冷容器の全体を示す説明図
【図２】Ａ―Ａ´線断面図
【図３】保冷容器の分解説明図
【図４】冷却水ボトルを引き上げた状態の説明図
【図５】スペシャルドリンクボトルが冷却水ボトル内から露出した状態の説明図
【図６】冷却水ボトル内からスペシャルドリンクボトルを取り出した状態の説明図
【図７】スペシャルドリンクを吸飲している状態の説明図
【符号の説明】
【００３６】
１．真空断熱容器
５．冷却水ボトル
６．ボトルホルダー
７．スプリング
１０．スペシャルドリンクボトル
１１．キャップ
１２．ストロー
１５．把手紐
【図１】
2010036964.tif 000003
【図２】
2010036964.tif 000004
【図３】
2010036964.tif 000005
【図４】
2010036964.tif 000006
【図５】
2010036964.tif 000007
【図６】
2010036964.tif 000008
【図７】
2010036964.tif 000009